(57)【要約】【課題】ソフトの書換え，端子の入替え改造による盗難を防止すること。【解決手段】エンジン制御装置に設定されたセキュリティコードとセキュリティコードを生成する装置から出力されるセキュリティコードとを照合し燃料噴射制御，点火制御を行うプログラムとセキュリティコードを生成する装置及びセキュリティコードを送受信するための通信回路よりなるエンジン制御装置において、セキュリティコードを照合し燃料噴射制御，点火制御を行うプログラムの有り無しのフラグと盗難防止対応車であるか判断する、セキュリティコードを生成する装置及びセキュリティコードを送受信するための通信回路の整合性を行う。【選択図】　図２
2004027856.tif 000002
【特許請求の範囲】
【請求項１】
エンジン制御装置に設定されたセキュリティコードとセキュリティコードを生成する装置から出力されるセキュリティコードとを照合し燃料噴射制御，点火制御を行うプログラムとセキュリティコードを生成する装置及びセキュリティコードを送受信するための通信回路よりなるエンジン制御装置において、セキュリティコードを照合し燃料噴射制御，点火制御を行うプログラムの有り無しのフラグと盗難防止対応車であるか判断する、セキュリティコードを生成する装置及びセキュリティコードを送受信するための通信回路の整合性を行う手段を設けたことを特徴するエンジン制御装置。
【請求項２】
請求項１記載の装置において、エンジン制御装置に設定されたセキュリティコードとセキュリティコードを生成する装置から出力されるセキュリティコードとを照合し燃料噴射制御，点火制御を行うプログラムの有り無しのフラグを設定することを特徴とするエンジン制御装置。
【請求項３】
請求項１記載の装置においてセキュリティコードと照合し燃料噴射制御，点火制御を行うプログラムの有り無しのフラグと盗難防止対応車であるかを判断するセキュリティコードを生成する装置及びセキュリティコードを送受信するための通信回路の整合性を行う手段は、ＦＥＴ構成による判定回路で行うことを特徴とするエンジン制御装置。
【請求項４】
請求項１記載の装置において、盗難防止の対応車両または非対応車両である識別は、セキュリティコードを生成する装置及びセキュリティコードを送受信するための通信回路からの信号により行うことを特徴とするエンジン制御装置。
【請求項５】
請求項４記載において、セキュリティコードを生成する装置及びセキュリティコードを送受信するための通信回路のどちらかが有れば、盗難防止対応車両であることを認識することを特徴とするエンジン制御装置。
【請求項６】
請求項１記載の装置において、セキュリティコードを照合し燃料噴射制御，点火制御を行うプログラムの有り無しのフラグと、盗難防止対応車であるか判断するセキュリティコードを生成する装置及びセキュリティコードを送受信するための通信回路の整合性を行う手段を盗難防止の非対応車両にも適用することを特徴とするエンジン制御装置。
【発明の詳細な説明】
【０００１】
【発明の属する技術分野】
本発明は、エンジン制御装置に関する。特に、盗難防止制御を使用したエンジン制御装置に関する。
【０００２】
【従来の技術】
従来のエンジン制御装置において、盗難防止の手段として、セキュリティキーコードを生成する装置のセキュリティコードとエンジン制御のＣＰＵに記憶してあるセキュリティコードとの比較照合を行い、燃料噴射制御及び点火制御を行う方式と盗難防止非対応のエンジン制御装置に、交換し盗難することを防止するコネクタ端子の入替えによる方式がある。
【０００３】
【発明が解決しようとする課題】
上記の従来技術は、エンジン制御装置のセキュリティコードとセキュリティコードを生成する装置のセキュリティコードの認証による盗難防止とコネクタ端子の入替えによる盗難防止非対応のエンジン制御装置に交換する盗難防止方法である。しかし、セキュリティコードを照合し燃料噴射制御，点火制御を行うプログラムが無いソフトに書換えた状態、または、盗難防止非対応のエンジン制御装置の端子を入替え改造した状態、または、上記ソフトの書換えとセキュリティコードを生成する装置を外すまたは、そのハーネスを断線させた状態に対しては、盗難防止の効果がないためこれを防ぐ方式が必要である。本発明の目的は、ソフトの書換え，端子の入替え改造による盗難を防止することにある。
【０００４】
【課題を解決するための手段】
上記目的は、エンジン制御装置に設定されたセキュリティコードとセキュリティコードを生成する装置から出力されるセキュリティコードとを照合し、燃料噴射制御，点火制御を行うプログラムの有り無しソフトフラグとセキュリティコードを生成する装置及びセキュリティコードを送受信するための通信回路よりなるエンジン制御装置において、セキュリティコードを照合し燃料噴射制御，点火制御を行うプログラムの有り無しソフトフラグと、盗難防止対応車であるか判断するセキュリティコードを生成する装置及びセキュリティコードを送受信するための通信回路との整合性を行う手段を設けることにより達成できる。
【０００５】
【発明の実施の形態】
以下、本発明の一実施例を図面を用いて説明する。図１は、本発明におけるエンジン制御システムの構成図を示す。判定回路６はＣＰＵ４のセキュリティコードを照合し燃料噴射制御，点火制御を行うか判断するプログラムの有り無しソフトフラグである信号４ａとセキュリティコードを生成する装置とセキュリティコードを送受信するための通信回路の有り無しフラグである信号３ａを、取り込みそれらの信号で整合性を判定するものである。
【０００６】
図２は、判定回路６の構成を示す概略図である。セキュリティコードを照合し燃料噴射制御，点火制御を行うプログラムの有り無しソフトフラグである信号
４ａは、有りの場合はＧＮＤレベルであり、無しの場合は電源電圧レベルとなる。セキュリティコードを生成する装置３及びセキュリティコードを送受信するための通信回路５の有り無しフラグである信号３ａは、両方とも無い場合はＧＮＤレベルであり、それ以外は電源電圧レベルとなる。セキュリティコードを生成する装置３及びセキュリティコードを送受信するための通信回路５のどちらかまたは両方ある場合は、その車両が盗難防止車であることを意味し、信号３ａは電源電圧レベルとなる。また両方ない場合は車両が盗難防止非対応車であること意味し、信号３ａはＧＮＤレベルとなる。
【０００７】
セキュリティコードを生成する装置３とセキュリティコードを送受信するための通信回路５が有る状態で、ＣＰＵのセキュリティコードを照合し燃料噴射制御，点火制御を行うプログラムを有りから無しへ書換えを行った場合、プログラム書換えによる盗難である。このとき信号３ａは、セキュリティコードを生成する装置３とセキュリティコードを送受信するための通信回路５があるので電源電圧レベルとなり、信号４ａはプログラムのソフトフラグ有りから無しに変わるため、ＧＮＤレベルから電源電圧レベルになり判定ＦＥＴ１０とＰ−ＲＵＮ制御
ＦＥＴ１１が動作し、一定周期で動作しているＰ−ＲＵＮ信号を止めることで、エンジン制御装置はリセット状態となる。
【０００８】
セキュリティコードを生成する装置３が無いまたはハーネスの断線による状態で、セキュリティコードを照合し燃料噴射制御，点火制御を行うプログラムを有りから無しへ書換えを行った場合、セキュリティコードを生成する装置を外し、さらにソフト書換えを行った場合の盗難である。このとき、信号３ａはセキュリティコードを送受信するための通信回路５があるので電源電圧レベルとなり、信号４ａはプログラムのソフトフラグが有りから無しに変わるため、ＧＮＤレベルから電源電圧レベルになり判定ＦＥＴ１０とＰ−ＲＵＮ制御ＦＥＴ１１が動作し、一定周期で動作しているＰ−ＲＵＮ信号を止めることで、エンジン制御装置はリセット状態となる。
【０００９】
セキュリティコードを生成する装置３がある状態で、盗難防止対応のエンジン制御から盗難防止非対応のエンジン制御装置に交換した場合、エンジン制御装置の交換による盗難である。このとき、信号３ａはセキュリティコードを生成する装置３があるので電源電圧レベルとなり、信号４ａはプログラムのソフトフラグが有りから無しに変わるため、ＧＮＤレベルから電源電圧レベルになりＦＥＴ１０とＰ−ＲＵＮ制御ＦＥＴ１１が動作し、一定周期で動作しているＰ−ＲＵＮ信号を止めることで、エンジン制御装置はリセット状態となる。上記の動作により、エンジン制御装置の動作を止めることができる。
【００１０】
以上の実施態様によれば、セキュリティコードを照合し燃料噴射制御，点火制御を行うプログラムが無いソフトに書換えて盗難する、盗難防止非対応のエンジン制御装置に交換して盗難することを防止するという効果を奏する。
【００１１】
【発明の効果】
本発明によれば、本発明の目的は、ソフトの書換え，端子の入替え改造による盗難を防止することができる。
【図面の簡単な説明】
【図１】エンジン制御システムの構成図である。
【図２】判定回路の構成を示す概略図である。
【符号の説明】
１…エンジン制御装置、２…車両のキー、３…セキュリティコードを生成する装置、３ａ…セキュリティコードを生成する装置及びセキュリティコードを送受信する通信回路の有り無しフラグ信号、４…演算装置（ＣＰＵ）、４ａ…セキュリティコードを照合し燃料噴射制御，点火制御を行うプログラムの有り無しフラグ信号、５…セキュリティコードを送受信する通信回路、６…判定回路、７…燃料噴射装置（インジェクタ）、８…点火装置（イグニッション）、９…Ｐ−ＲＵＮ信号、１０…判定ＦＥＴ、１１…Ｐ−ＲＵＮ制御ＦＥＴ。
【図１】
2004027856.tif 000003
【図２】
2004027856.tif 000004